(57)【要約】【課題】  読み込み時の画像読取装置の位置決めと、必要な画像の取り込みとが容易となる使い勝手の良い画像読取装置を提供する。【解決手段】  画像読取媒体上の画像を読み取る画像読取装置において、画像データを読み取る画像読取手段と、画像読取手段の移動を検出する移動検出手段と、画像読取媒体上で画像読取手段が移動する時の移動情報を移動検出直後に記憶する移動情報記憶手段と、移動中の画像読取手段の移動情報と移動情報記憶手段に記憶された移動情報とを逐次比較する移動情報比較手段と、移動情報の変化を判別する手段と、画像読取装置が有する複数の機能を予め設定する手段と、判別結果に基づき予め設定された機能を切り替える手段を有する。【選択図】  図４
2005332286.tif 000002
【特許請求の範囲】
【請求項１】
画像読取媒体上の画像を読み取る画像読取装置において、画像データを読み取る画像読取手段と、画像読取手段の移動を検出する移動検出手段と、画像読取媒体上で画像読取手段が移動する時の移動情報を移動検出直後に記憶する移動情報記憶手段と、移動中の画像読取手段の移動情報と移動情報記憶手段に記憶された移動情報とを逐次比較する移動情報比較手段と、移動情報の変化を判別する手段と、画像読取装置が有する複数の機能を予め設定する手段と、判別結果に基づき予め設定された機能を切り替える手段を有することを特徴とする。
【発明の詳細な説明】
【技術分野】
【０００１】
本発明は、画像読取機能に付随する機能を画像読取部の移動方法で切り替えられるようにした手動走査による画像読取装置に関する。
【背景技術】
【０００２】
従来より、パーソナルコンピュータなどのホストコンピュータに画像データを入力する手段として、スキャナに代表される画像読取装置が用いられている。スキャナは、読取原稿からの反射光を光電変換するイメージセンサと、イメージセンサからの出力信号をデジタルデータに変換する画像処理部とを備えている。スキャナのタイプには、原稿を原稿設置面に設置してイメージセンサを副走査方向に駆動することにより、自動的に読み取るフラット型と、イメージセンサが取り付けられたスキャナ本体を操作者が走査方向に動かすことにより原稿を読み取るハンディ型とがある。
【０００３】
フラット型のスキャナは、原稿全体の画像を読み取るため、操作者が必要な部分を切り出して加工を施すには、パーソナルコンピュータによる画像編集ソフトを起動してキーボードとマウスを使用して全体の画像を元に加工する。一方、ハンディ型のスキャナでは、原稿の所定の部分の画像を読み取ることができ、読み込んだ画像をフラット型と同様にパーソナルコンピュータで加工を行う。ハンディ型のスキャナで読み取った画像は、必要な部分の画像の前後の余分な画像も読み込むため、パーソナルコンピュータでの調整加工が必要になっていた。煩わしい調整加工を無くすためには、より正確な画像読取装置の読取位置を決める必要があった。
【０００４】
その課題を解決するために、種々の改善手段が提案されてきた。具体的には、実開昭６３−１４０７６２号公報記載の技術では、画像読取装置を移動させながら原稿を読み取る際に、現在読み取っている部分を目視で確認できるようにスキャナ本体に窓を形成している。また、上述公報の改善手段を提供している特開平９−０８３７４７では、読取が終了した画像データとの相対的な画像読取位置を逐次算出し、画像とその位置を表示する表示手段と、スキャンの対象範囲が設定される入力手段から構成された。
【発明の開示】
【発明が解決しようとする課題】
【０００５】
しかしながら上述した公報の従来例では、一旦読み込まれて表示された画像に対して、読取位置や範囲を設定し、その画像に重ねて読み取りが行われるために、最初に読み込まれた画像データには不要な部分が含まれてしまうことがあった。そのため、最終的に必要な部分を取り出すためには、やはりパーソナルコンピュータで加工する必要があり、操作の煩わしさは軽減されたに過ぎなかった。
【０００６】
本発明の目的は、係る従来例の有する不都合を改善し、特に読み込み時の画像読取装置の位置決めと、必要な画像の取り込みとが容易となる使い勝手の良い画像読取装置を提供することにある。
【課題を解決するための手段】
【０００７】
上記目的を達成するために、本発明では、画像データを読み取る画像読取手段と、画像読取手段の移動を検出する移動検出手段と、画像読取媒体上で画像読取手段が移動する時の移動情報を移動検出直後に記憶する移動情報記憶手段と、移動中の画像読取手段の移動情報と移動情報記憶手段に記憶された移動情報とを逐次比較する移動情報比較手段と、移動情報の変化を判別する手段と、画像読取装置が有する複数の機能を予め設定する手段と、判別結果に基づき予め設定された機能を切り替えるように構成される。
【発明の効果】
【０００８】
以上説明したように、本発明の画像読取装置を使用することにより、読取中の画像を表示することができ、その表示画像を基に不要な部分を画像読取装置の操作だけで除くことができ、必要な画像だけをパーソナルコンピュータなどに取り込むことが容易にできる。さらに、画像読取装置の移動方向は、移動開始直後の状態から方向転換を判定するために右利きでも左利きでも煩雑な設定が必要としないで同様な機能が容易に使用することができる。
【発明を実施するための最良の形態】
【０００９】
以下、図面を参照して本発明にかかる画像読取装置の実施の形態１〜２について詳細に説明する。
【００１０】
（実施の形態１）
図１は、本発明の実施の形態１の構成を示すブロック図である。１１５は画像読取装置である。１０９は、画像読取部であり、光学的に原稿用紙に対して光を照射する光源（例、発光ダイオード、冷陰極管）と、原稿用紙からの反射光を受光しこれを読取画像データに変換する読取素子であるＣＣＤ（Charge Coupled Device）或いはＣＭＯＳセンサーと、光源及び読取素子に近傍に設けられたレンズとから概略構成されている。これにより読取制御部１１０からの一定周期で入力される駆読取パルスに基づいて画像読取面の１ライン毎の画像を順次読み込みこれを読取画像データとして出力する。１００は、エンコーダ部であり、画像読み取り時における画像読取装置の移動量を検出するための回転部材である回転ローラと回転量を検出するロータリーエンコーダが取り付けられており、画像読取面を手動で移動する時にロータリーエンコーダで生成されたエンコーダパルスをパルス位相検出部１０１と読取制御部１１０に出力する。１０１は、パルス位相検出部であり、エンコーダ部１００からのエンコーダパルスの位相パターンを検出し、その結果を位相記憶部１０２と位相変化検出部１０３に出力する。１０２は、位相記憶部であり、パルス位相検出部１０１の結果を記憶し、記憶値を位相変化検出部１０３に出力する。１０３は、位相変化検出部であり、パルス位相検出部１０１からの出力と位相記憶部１０２の出力を受信し、位相に変化が生じるとその結果を制御部１０８に通知する。１１０は、読取制御部であり、一定周期で駆動パルスを画像読取部１０９に与える。読取パルスの一定周期の間にエンコーダ部１００からのエンコーダパルスを受信すると、その周期における画像の有効性をアドレス制御部１１２に通知する。１１１は、画像処理部であり、画像読取部１０９からの出力信号をデジタルデータに変換し、画像メモリ１１３に出力する。１１２は、アドレス制御部であり、読み取られた画像データを画像メモリ１１３に記憶させるためのアドレスを発生し、また、制御部１０８からの指示により画像メモリ１１３の画像データを読み出したり消去したりするためのアドレスを発生する。１１３は、画像メモリであり、読み取られた画像データをアドレス制御部１１２から与えられたアドレスに対応して順次記憶すると共に、制御部１０８からの指示に基づいて画像データを出力し、また指示により画像データを消去する。１０８は、制御部であり、画像読取装置１１５の全体の制御を司る。画像データの読み出し或いは消去するためにアドレス制御部１１２と画像メモリ１１３に接続され、また、光源の制御を行うことができるように画像読取部１０９に接続されている。また、画像データを表示するために表示部１０７に接続されている。さらに、位相変化検出部１０３からの結果に基づいて、機能を選択するための切替部１０５にも接続されている。そして、パーソナルコンピュータ（PC）１０４との接続機能も有する。１０７は、表示部であり、制御部１０８により読み取った画像を２次元で表示する。１０５は、切替部であり、機能１、１０４と機能２、１０６とを制御部１０８の指示により切り替える。１０４は、機能１であり、制御部１０８が実行しなければならない少なくとも１種類の内容が記憶さ���ている。１０６は、機能２であり、制御部１０８が実行しなければならない機能１とは異なる少なくとも１種類の内容が記憶されている。
【００１１】
図２は、エンコーダ部１００からのエンコーダパルスに基づいて制御部が機能を切り替える動作を示すタイムチャートである。３００は、読取パルスであり、読取制御部１１０から一定周期Tで画像読取部１０９に供給される。読取パルス３００により、画像読取部１０９は、読取素子を駆動し周期Tの間に読み取られた画像データを順次、T1、T2、T3・・・T10の周期毎に出力する。３０１は、エンコーダパルスであり、エンコーダ部１００で検出された移動を示す信号である。ここで、図３に、本実施例で使用するエンコーダの形状を示す。画像読取装置１１５が移動されると、エンコーダが回転をするが、エンコーダの貫通孔は回転方向で異なる。貫通孔部分に光が照射され、黒塗りで示した貫通孔を光が通過し受光することにより回転を検出する。３個の貫通孔とその他のものとは、幅が異なるようにできるため、時計周りの回転と反時計回りの回転をそれぞれ検出できる。３個の幅広の貫通孔の間には、幅の狭い貫通孔が１個と２個がそれぞれ設けられている。これにより、時計周りへの回転では、幅広の出力パルスが１つ、幅の狭いパルスが１つ、幅広が１パルス、幅の狭いパルスが２つ、そして幅広のパルスが１つの順（パターン１とする）に出力され、その逆の回転では、逆の順（パターン２とする）でパルスは出力されることになる。３０２は、位相変化の検出結果を示す信号であり、位相変化検出部１０３でリアルタイムに検出される。３０３は、制御信号であり、制御部１０８が位相変化検出信号３０２に基づいて、機能を切り替える信号である。図２の上のタイムチャートは、周期T2、T4、T7で、幅広のパルスを検出し、周期T3、T5、T6に幅の狭いパルスをパルス位相を検出し、周期T7でパターン１を位相記憶部１０２に記憶する。図２の下のタイムチャートは、周期Ti＋2、Ti＋5、Ti＋7で、幅広のパルスを検出し、周期Ti＋3、Ti＋4、Ti＋6に幅の狭いパルスをパルス位相を検出しているため、周期Ti＋7でパターン２を検出し、パターン１からパターン２への位相変化を検出することになる。制御部１０８は、周期Ti＋７で、機能１から機能２へ切替を行うことができる。
【００１２】
図４は、本実施例の機能切替処理を示すフローチャートである。図５は、本実施例の機能とその実行内容を示す表である。図６は、本実施例の画像読取装置１１５を右利きの操作者が原稿の画像（文字１２３４５）を読み取りを行う場合のイメージ図を示す。また、図７は、左利きの場合のイメージ図を示す。図１〜７を用いて本発明の特徴である動作について詳述する。
【００１３】
図５に示すように、本実施例で設定されている機能としては、機能１には２種類の実行内容が設定されている。操作者が原稿から画像を読み取る時の動作であり、画像読取装置１１５を移動させて画像を読み取り、その画像を表示部１０７に表示する内容である。機能２には、移動することにより、読み取られた画像データを消去し、その画像を表示部１０７に表示する内容である。右利きの操作者は、右手に画像読取装置１１５を持ち、原稿５００の画像の先頭位置１１５aに画像読取部１０９を接触させる。画像読取の開始を操作者が指定すると、ステップS２０１で移動検出を始める。操作者が、画像読取装置１１５aを右方向に移動させると、エンコーダ部１００からエンコーダパルス３０１が出力される。周期T7まで移動したところで、パルス位相検出部１０１はパターン１を検出し、ステップS２０２位相記憶部１０２でその情報を記憶する。制御部１０８は、位相変化検出部１０３から変化の情報が受信するまでは、初期設定されている機能１を実行するようにできるため、ステップS２０３では、移動量に対応する画像の読取を行い、読み取られた画像データは順次画像処理部１１１を介して画像メモリ１１３に読取制御部１１０が発生するアドレスにしたがって記憶される。同時に、制御部１０８は、アドレス制御部１１２に所定のアドレスを設定し、画像メモリ１１３から画像データを読み出し表示部１０７に表示を行う。図６に示す１１５aの位置まで画像読取装置１１５を移動させたところで、表示部に文字１２３４を表示させる。この位置で、操作者が画像読取を終了させると、ステップ２０４で、ステップ２１０の終了処理を実行させる。一方、１１５aの位置から操作者が、画像読取装置１１５の移動を一旦停止し、反対方向に移動を開始すると、エンコーダ部１００からパターン２のパルス位相を検出するため、図２の周期Ti＋7において、ステップS２０５で位相記憶部１０２で記憶しているパターン１との位相変化を位相変化検出部１０３が検出する。ステップＳ２０６で位相記憶部１０２はパターン２を記憶する。位相変化検出部１０３から位相変化の情報を制御部１０８が受信すると、ステップ２で機能１から機能２に切り替え、機能2の実行を開始する。機能２には、移動量に対応する画像データの消去を行ない、その画像を表示部１０７に表示させる内容が設定されている。操作者は、図６の１１５ｃの位置まで左方向に移動させると、１１５ｂの位置から１１５ｃの位置まで移動量に対する画像データを消去する。１１５ｃの位置では、文字２と３の間にあるため、文字３４５の画像データが画像メモリ１１３から消去され、表示部１０７の表示も文字１２にすることができる。ステップＳ２０８で操作者が操作を終了すると、ステップ２１０の終了処理に移行する。また、再度操作者が右方向に移動を開始すると、位相の変化が発生するためステップＳ２０９で位相変化を検出する。再びステップＳ２０２、Ｓ２０３の処理が行われるため、画像読取動作が実行することができる。
【００１４】
図７は、左利きの操作者が左手に持ち、右方向に移動させながら原稿６００の画像（文字１２３４５）を読み取ることができる。この場合には、エンコーダの回転が右利きの操作者が右に移動させる場合とは逆になるため、上述のパターン１とパターン２が入れ替わる。ここで、本発明の特徴とする動作として、画像読取装置１１５が画像読取のために移動を開始した時の位相に基づいた移動方向の判別を行うために、右利きと左利きの区別をするような動作が不要であることが挙げられる。
【００１５】
ところで、図は省略したが、画像読取り装置１１５には、原稿すなわち画像読取り媒体への接触を検出する機能を有することができ、接触の検出により画像読取り動作を自動的に開始し、また画像読取り装置１１５が原稿から離れた場合には、作動中の機能を自動的にリセットすることができる。例えば、図６の画像読取り装置１１５が、１１５ｂの位置において、操作者が画像読取り装置１１５を原稿５００から浮かせれば、画像読取り装置１１５が原稿との接触がなくなったことを制御部１０８が検出し、作動中であった一連の機能をリセットし、初期状態に戻すことができる。すなわち、図１の位相記憶部１０２の記憶内容が消去され、また画像メモリ１１３に格納された画像データも消去される。同時に、表示器１０７に表示された内容も初期状態にできる。また、画像読取り装置１１５には、リセットするためのリセットボタンを備えることも出来る。画像読取り装置１１５がいかなる状態においても、リセットボタンが押下されれば、作動中の機能を手動でリセットすることができる。リセットボタンが押下されると、図１の位相記憶部１０２の記憶内容が消去され、また画像メモリ１１３に格納された画像データも消去される。同時に、表示器１０７に表示された内容も初期状態にできる。
【００１６】
（実施の形態２）
本実施例では、設定する機能の数を増やし、不要な画像を消去する有効な動作について詳述する。図８は、設定される機能１〜４とその実行内容を示す。機能１は、画像読取装置１１５の移動量に対応した画像を読み取り、その画像を表示する。本実施例では、制御部１０８からパーソナルコンピュータ（ＰＣ）の表示部であるＣＲＴや液晶のディスプレイに表示する。機能２は、移動量に対応した画像データを画像メモリ１１３から消去する。そして、その画像をＰＣのディスプレイに表示する。機能３は、移動方向反転位置より前の画像データを画像メモリ１１３から消去し、ＰＣに表示する。図９は、この機能を使用した具体的な動作イメージを示し、原稿上の文字＠１２３４５６のうちの２３４の部分を読み取る動作も示す。図９の上の図は、１１５aの位置から右方向に移動を開始する。初期設定機能である機能１をまず実行する。すなわち、原稿の上の文字＠１２３を読み取り、ＰＣのディスプレイに順次表示する。１１５ｂの位置で一旦操作者は移動を停止し、反対方向に移動を再開する。方向反転で、位相変化を検出するため、制御部１０８は機能を機能２に切り替える。１１５ｃの位置まで到達すると移動を停止する。この時、文字２３の画像データが画像メモリ１１３から消去され、ＰＣのディスプレイの表示は文字＠１となる。続いて、図９の下の図のように、１１５ｃの位置から操作者が必要とする画像を読み取るために、右に方向転換を行うと、位相の変化が検出され、制御部１０８は次の機能である機能３に切り替える。機能３では、読み取りを開始した位置１１５aと１１５ｃの間の画像＠１を画像メモリ１１３から消去される。そして、操作者は、１１５ｄまで読み取りのために画像読取装置１１５を移動し、一旦停止する。この時画像は、文字２３４５６が読み込まれている。次に左に方向転換すると位相の変化を検出するため、制御部１０８は、機能を機能４に切り替える。１１５ｅの位置で停止されると、文字５６が画像メモリ１１３から消去され、ＰＣの表示に文字２３４が表示される。以上のような動作により、必要とする文字２３４の部分だけをＰＣに取り込むことができる。
【００１７】
ところで、図は省略したが、画像読取り装置１１５には、原稿すなわち画像読取り媒体への接触を検出する機能を有することができ、接触の検出により画像読取り動作を自動的に開始し、また画像読取り装置１１５が原稿から離れた場合には、作動中の機能を自動的にリセットすることができる。例えば、図９の画像読取り装置１１５が、１１５ｃの位置において、操作者が画像読取り装置１１５を原稿５００から浮かせれば、画像読取り装置１１５が原稿との接触がなくなったことを制御部１０８が検出し、作動中であった一連の機能をリセットし、初期状態に戻すことができる。すなわち、図１の位相記憶部１０２の記憶内容が消去され、また画像メモリ１１３に格納された画像データも消去される。同時に、ＰＣに表示されている画像を消去するために画像読取り装置１１５はＰＣ１１４に対して消去コマンドを送出しＰＣに表示された内容も初期状態にできる。また、画像読取り装置１１５には、リセットするためのリセットボタンを備えることも出来る。画像読取り装置１１５がいかなる状態においても、リセットボタンが押下されれば、作動中の機能を手動でリセットすることができる。リセットボタンが押下されると、図１の位相記憶部１０２の記憶内容が消去され、また画像メモリ１１３に格納された画像データも消去される。同時に、ＰＣに表示された画像も消去するように動作させることができる。
【図面の簡単な説明】
【００１８】
【図１】本発明の実施形態１の構成を示すブロック図
【図２】図１に示した機能切替動作を示すタイムチャート
【図３】図１に示したエンコーダの貫通孔の例
【図４】図１に示した機能切替動作を示すフローチャート
【図５】図１に示した機能切替動作を示す設定機能表
【図６】実施例１で右利きの操作者が使用する場合の例
【図７】実施例１で左利きの操作者が使用する場合の例
【図８】本発明の実施形態２の切替機能を示す表
【図９】実施例２で右利きの操作者が使用する場合の例
【符号の説明】
【００１９】
１００  エンコーダ部
１０１  パルス位相検出部
１０２  位相記憶部
１０３  位相変化検出部
１０４  機能１
１０５  切替部
１０６  機能2
１０７  表示部
１０８  制御部
１０９  画像読取部
１１０  読取制御部
１１２  アドレス制御部
１１３  画像メモリ
１１４  ＰＣ
１１５  画像読取装置
【図１】
2005332286.tif 000003
【図２】
2005332286.tif 000004
【図３】
2005332286.tif 000005
【図４】
2005332286.tif 000006
【図５】
2005332286.tif 000007
【図６】
2005332286.tif 000008
【図７】
2005332286.tif 000009
【図８】
2005332286.tif 000010
【図９】
2005332286.tif 000011